(57)【要約】【課題】光パケットバッファリング兼多重部の前段に、光パケット相互の先頭を揃える光パケットタイミング調整部を設けることにより、光パケット多重後の光パケットの占める割合を大きくするとともに、光パケットバッファの深さを大きくできる光パケット多重装置を提供すること。【解決手段】２つ以上の光入力ポートから入力される光パケットを光電変換することなく連続して時間領域で多重化する光パケット多重装置であって、複数の光パケットを所定時間遅延させて多重化しこれら光パケットを合波して出力する光パケットバッファリング兼多重部と、この光パケットバッファリング兼多重部の前段に設けられた光パケットタイミング調整部、とで構成されたことを特徴とするもの。【選択図】    図１
2010081328.tif 000002
【特許請求の範囲】
【請求項１】
２つ以上の光入力ポートから入力される光パケットを光電変換することなく連続して時間領域で多重化する光パケット多重装置であって、
複数の光パケットを所定時間遅延させて多重化しこれら光パケットを合波して出力する光パケットバッファリング兼多重部と、
この光パケットバッファリング兼多重部の前段に設けられた光パケットタイミング調整部、
とで構成されたことを特徴とする光パケット多重装置。
【請求項２】
前記光パケットタイミング調整部は、
光パケットが前記光入力ポートを介して入力されるとともに、所定の繰り返しタイミングで複数の光遅延装置から一つを選択して出力する光遅延量選択装置と、
この光遅延量選択装置から入力された光パケットを所定時間遅延させて出力する複数の光遅延装置と、
これら光遅延装置から入力された光パケットを合波して出力する合波装置と
から構成されることを特徴とする請求項１記載の光パケット多重装置。
【請求項３】
前記光パケットバッファリング兼多重部は、
前記光パケットタイミング調整部から先頭が揃った光パケットが入力され、所定の繰り返しタイミングで複数の光遅延装置の一つを選択して出力する光遅延量選択装置と、
この光遅延量選択装置から入力された光パケットを所定時間遅延させて出力する複数の光遅延装置と、
これらの光遅延装置から入力された光パケットを合波して出力する合波装置と
から構成されることを特徴とする請求項１記載の光パケット多重装置。
【発明の詳細な説明】
【技術分野】
【０００１】
本発明は、光パケット多重装置に関し、詳しくは、２つ以上の光入力ポートから入力される光パケットを光電変換することなく連続して時間領域で多重化する光パケット多重装置に関するものである。
【背景技術】
【０００２】
データ通信におけるパケット通信とは、データを小さな塊に分割し、データの小さな塊と制御情報を合わせたパケットと呼ばれる単位でデータの送受信を行う通信のことである。また、光によってパケットを構成している信号を以下光パケットという。
【０００３】
２つ以上の光入力ポートからそれぞれ任意のタイミングで入力される固定長の光パケットを多重化するのにあたり、時間領域で光パケットが重ならないようにする方法や、波長領域で光パケットが重ならないようにする方法や、光パケットを時間領域と波長領域とを併用して多重化する方法などが考えられている。
【０００４】
図９は、時間領域で多重化を行う従来の光パケット多重装置の一例を示す概略構成図である。この光パケット多重装置では、２つの光入力ポート１Ａ、１Ｂから光パケットバッファリング兼多重部２に光信号が入力され、この光パケットバッファリング兼多重部２で多重化された光信号が光出力ポート４を介して外部へ出力される。
【０００５】
図１０は、図９の光パケット多重装置の具体例を示す構成図である。光パケットバッファリング兼多重部２は、光遅延量選択装置２１と、この光遅延量選択装置２１に接続され所定の遅延量を持つ光遅延装置２２ａ〜２２ｎと、これら光遅延装置２２ａ〜２２ｎから出力される光パケットを合波する合波装置２３で構成されている。なお、光遅延装置２２ａは遅延量が０に設定され、光遅延装置２２ｂ〜２２ｎはそれぞれの遅延量により光パケット同士の衝突を回避する。光パケットバッファリング兼多重部２は、光パケットを光電変換することなく光遅延装置２２ａ〜２２ｎで遅延させ、遅延させた光パケットを合波装置２３で合波して多重化し出力する。
【０００６】
図１０において、光入力ポート１Ａ、１Ｂからそれぞれ入力される光信号は図示しないスプリッタなどで分岐され、一方の光信号は光パケット検出装置４に入力されて光入力ポート１Ａ、１Ｂからそれぞれ入力される光信号の先頭が検知され、制御装置３に入力される。制御装置３は光パケット検出装置４の出力信号に基づき光遅延量選択装置２１を制御する。分岐された他方の光信号は光遅延装置５Ａ、５Ｂに入力される。光遅延装置５Ａ、５Ｂの遅延量は固定値であり、光信号が光パケット検出装置４に入力されてから制御装置３が光パケット検出装置４の出力信号に基づき光遅延量選択装置２１を制御するまでに要する時間と等しくなるように設定される。
【０００７】
記憶装置６は、光遅延装置５Ａ、５Ｂから光遅延量選択装置２１に入力される光パケットが時間領域で重なるときに、どの光パケットの遅延を少なくして転送するかを制御装置３が光遅延量選択装置２１で光遅延装置２２ａ〜２２ｎの選択判断に用いる情報、つまり制御の優先順位を記憶している。また、記憶装置６は、外部からの書き込み／読み出しもできる。制御装置３は、光遅延量選択装置２１を制御することにより、各光入力ポート１Ａ、１Ｂからそれぞれ任意のタイミングで入力される光パケットをいずれかの光遅延装置２２ａ〜２２ｎに導き、光パケットが時間領域で重ならないように遅延させる。これら光遅延装置２２ａ〜２２ｎから出力される光パケットは合波装置２３で合波され、特定の同一光出力ポート４に出力することにより、時間領域で多重化される。
【０００８】
また、光遅延装置２２ａ〜２２ｎの遅延量の最小単位は、伝送路上における固定長の光パケット継続時間Ｔ（Ｔ＞０）に制御用マージン時間などの時間α（α≧０）を加えた時間ｔ１＝Ｔ＋αとなる遅延単位時間ｔ１に設定されている。また、隣り合う光遅延装置２２ａ〜２２ｎとの遅延量の差は、光入力ポート１Ａ、１Ｂから同一のタイミングで入力された光パケットを衝突させずに最小の隙間時間で光パケットを多重することを目的として、遅延単位時間ｔ１となるように設定されている。
【０００９】
図１１は従来の光パケット多重化動作例図であり、（Ａ）は光パケット１、２が光入力ポート１Ａ、１Ｂから時間領域でハッチング部分ａで示すように互いに重なり合う状態で入力され、光パケット１が入力されてから光パケット２が入力されるまでの到着時間の差がｄ１であることを示し、（Ｂ）は光パケット１、２が光パケットバッファリング兼多重部２により時間領域で多重化されて光出力ポート４から連続的に出力され、先行する光パケット１の終端と後続する光パケット２の先頭との隙間時間ｖ１と光パケット１、２の到着時間差ｄ１が等しいことを示している。これにより、光遅延装置２２ａ〜２２ｎのうち、たとえば光遅延装置２２ｂと光遅延装置２２ａの遅延量の差が光パケット１、２間の隙間時間ｖ１の最大範囲となる。光パケット２の遅延量Ｄは光遅延装置２２ａ〜２２ｎの遅延単位時間ｔ１と等しい。
【００１０】
特許文献１は、再循環デバイスを用いることなく光ドメインでデータパケットを交換する光パケット交換機に関するものである。
【００１１】
【特許文献１】特開平６−８５８４４号公報
【発明の開示】
【発明が解決しようとする課題】
【００１２】
しかし、図９のような従来の光パケット多重装置では、光パケット多重装置から出力される光パケットの占める割合を大きくする、つまり光パケット多重装置から出力される光パケットと光パケットの間の隙間時間を小さくするとともに、光パケットバッファリング兼多重部２の光遅延装置２２ａ〜２２ｎで光パケットを重ならないよう遅延させながら滞留させられる数である光パケットバッファの深さを大きくすることを同時に実現することは難しいという問題がある。
【００１３】
本発明は、これらの問題点を解決するものであり、光パケット多重後の光パケットの占める割合を大きくする、すなわち光パケット多重後の光パケット間の隙間の占める割合を小さくするとともに、光パケットを重ならないよう遅延させながら滞留させられる数である光パケットバッファの深さを大きくできる光パケット多重装置を提供することを目的とする。
【課題を解決するための手段】
【００１４】
上記のような目的を達成するために、本発明の請求項１は、
２つ以上の光入力ポートから入力される光パケットを光電変換することなく連続して時間領域で多重化する光パケット多重装置であって、
複数の光パケットを所定時間遅延させて多重化しこれら光パケットを合波して出力する光パケットバッファリング兼多重部と、
この光パケットバッファリング兼多重部の前段に設けられた光パケットタイミング調整部、
とで構成されたことを特徴とする。
【００１５】
請求項２は、請求項１記載の光パケット多重装置において、
前記光パケットタイミング調整部は、
光パケットが前記光入力ポートを介して入力されるとともに、所定の繰り返しタイミングで複数の光遅延装置から一つを選択して出力する光遅延量選択装置と、
この光遅延量選択装置から入力された光パケットを所定時間遅延させて出力する複数の光遅延装置と、
これら光遅延装置から入力された光パケットを合波して出力する合波装置と
から構成されることを特徴とする。
【００１６】
請求項３は、請求項１記載の光パケット多重装置において、
前記光パケットバッファリング兼多重部は、
前記光パケットタイミング調整部から先頭が揃った光パケットが入力され、所定の繰り返しタイミングで複数の光遅延装置の一つを選択して出力する光遅延量選択装置と、
この光遅延量選択装置から入力された光パケットを所定時間遅延させて出力する複数の光遅延装置と、
これらの光遅延装置から入力された光パケットを合波して出力する合波装置と
から構成されることを特徴とする。
【発明の効果】
【００１７】
このように、光パケットバッファリング兼多重部の前段に、光パケット相互の先頭を揃える光パケットタイミング調整部を設けることにより、光パケット多重後の光パケットの占める割合を大きくする、すなわち光パケット多重後の光パケット間の隙間の占める割合を小さくするとともに、２つ以上の光入力ポートから同時に入力された光パケットを光電変換することなく連続して時間領域で多重化でき、光パケットを重ならないよう遅延させながら滞留させられる数である光パケットバッファの深さ、を大きくできる光パケット多重装置が実現できる。
【発明を実施するための最良の形態】
【００１８】
以下、図面を用いて、本発明の光パケット多重装置を説明する。図１は、本発明の一実施例を示す概略構成図である。本発明の光パケット多重装置では、２つの光入力ポート１Ａ、１Ｂから光パケットタイミング調整部１００を介して光パケットバッファリング兼多重部２００に光信号が入力され、この光パケットバッファリング兼多重部２００で多重化された光信号が光出力ポート３００を介して外部へ出力される。
【００１９】
図２は、図１の光パケット多重装置の具体例を示す構成図である。光パケットタイミング調整部１００は、２つの光パケットタイミング調整ユニット１１０、１２０で構成されている。すなわち、光パケットタイミング調整ユニット１１０は、光遅延量選択装置１１１と、この光遅延量選択装置１１１に接続され所定の遅延量を持つ光遅延装置１１２ａ〜１１２ｎと、これら光遅延装置１１２ａ〜１１２ｎから出力される光パケットを合波する合波装置１１３で構成されている。なお、光遅延装置１１２ａは遅延量が０に設定され、光遅延装置１１２ｂ〜１１２ｎはそれぞれの遅延量に設定され、光パケットを遅延させる。光パケットタイミング調整ユニット１１０は、光パケットを光電変換することなく光遅延装置１１２ａ〜１１２ｎで遅延させて光パケットの先頭を光パケット多重装置で扱う固有の周期のタイミングから一定時間の範囲内で揃えた光パケットを合波装置１１３で合波して出力する。
【００２０】
光パケットタイミング調整ユニット１１０における光遅延装置１１２ａ〜１１２ｎの遅延単位時間はｔ３に設定されている。また、隣り合う光遅延装置１１２ａ〜１１２ｎの遅延量の時間差は、光入力ポート１Ａ、１Ｂから同一のタイミングで入力された光パケットの先頭を光パケット多重装置で扱う固有の周期のタイミングから時間ｔ３の範囲内で揃えることを目的として、遅延単位時間ｔ３に設定されている。
【００２１】
同様に、光パケットタイミング調整ユニット１２０は、光遅延量選択装置１２１と、この光遅延量選択装置１２１に接続され所定の遅延量を持つ光遅延装置１２２ａ〜１２２ｎと、これら光遅延装置１２２ａ〜１２２ｎから出力される光パケットを合波する合波装置１２３で構成されている。なお、光遅延装置１２２ａは遅延量が０に設定され、光遅延装置１２２ｂ〜１２２ｎはそれぞれの遅延量に設定され、光パケットを遅延させる。光パケットタイミング調整ユニット１２０は、光パケットを光電変換することなく光遅延装置１２２ａ〜１２２ｎで遅延させて光パケットの先頭を光パケット多重装置で扱う固有の周期のタイミングから時間ｔ３の範囲内にそろえた光パケットを合波装置１２３で合波して出力する。
【００２２】
光パケットバッファリング兼多重部２００は、光遅延量選択装置２０１と、この光遅延量選択装置２０１に接続され所定の遅延量を持つ光遅延装置２０２ａ〜２０２ｎと、これら光遅延装置２０２ａ〜２０２ｎから出力される光パケットを合波する合波装置２０３で構成されている。なお、光遅延装置２０２ａは遅延量が０に設定され、光遅延装置２０２ｂ〜２０２ｎはそれぞれの遅延量により光パケット同士の衝突を回避する。光パケットバッファリング兼多重部２００は、光パケットを光電変換することなく光遅延装置２０２ａ〜２０２ｎで遅延させた光パケットを合波装置２０３で合波して時間領域で多重化し出力する。
【００２３】
光パケットバッファリング兼多重部２００における光遅延装置２０２ａ〜２０２ｎの遅延単位時間はｔ４に設定されている。また、隣り合う光遅延装置２０２ａ〜２０２ｎの遅延量の時間差は、光パケットタイミング調整ユニット１１０,１２０からの出力を光パケットバッファリング兼多重部２００内の光遅延量選択装置２０１の入力ＩＮ１，ＩＮ２に互いに重なるタイミングで入力された光パケットを衝突させずに最小の隙間時間で光パケットを多重することを目的として、遅延単位時間ｔ４に設定されている。
【００２４】
図２において、光入力ポート１Ａ、１Ｂからそれぞれ入力される光信号は図示しないスプリッタなどで分岐され、一方の光信号は光パケット検出装置６０に入力されて光入力ポート１Ａ、１Ｂからそれぞれ入力される光パケットの先頭が検知され、制御装置７０に入力される。制御装置７０は、光パケット検出装置６０の出力信号に基づき光遅延量選択装置１１１,１２１,２０１を制御する。分岐された他方の光信号は、光遅延装置５０、５１に入力される。光遅延装置５０、５１の遅延量は、固定値であり、光信号が光パケット検出装置６０に入力されてから制御装置７０が光パケット検出装置６０の出力信号に基づき光遅延量選択装置１１１,１２１を制御するまでに要する時間と等しくなるように設定される。
【００２５】
記憶装置８０は、光パケットタイミング調整部１００から光パケットバッファリング兼多重部２００の光遅延量選択装置２０１のＩＮ１，ＩＮ２に入力される光パケットが時間領域で重なるときに、どの光パケットの遅延を少なくして転送するかを制御装置７０が光遅延量選択装置２０１で光遅延装置２０２ａ〜２０２ｎのいずれかを選択する際の判断時に用いる情報、つまり光パケット多重優先度情報を記憶している。また、記憶装置８０は、外部からの書き込み／読み出しもできる。
【００２６】
制御装置７０は、光遅延量選択装置１１１を制御することにより光入力ポート１Ａから任意のタイミングで入力される光パケットをいずれかの光遅延装置１１２ａ〜１１２ｎに導いて、入力された光パケットの先頭を光パケット多重装置で扱う固有の周期のタイミングから時間ｔ３の範囲内で揃えるとともに、光遅延量選択装置１２１を制御することにより光入力ポート１Ｂから任意のタイミングで入力される光パケットをいずれかの光遅延装置１２２ａ〜１２２ｎに導いて、入力された光パケットの先頭を光パケット多重装置で扱う固有の周期のタイミングから時間ｔ３の範囲内で揃える。
【００２７】
光遅延装置１１２ａ〜１１２ｎから出力される光パケットは合波装置１１３で合波されて光遅延量選択装置２０１のＩＮｌに入力され、光遅延装置１２２ａ〜１２２ｎから出力される光パケットは合波装置１２３で合波されて光遅延量選択装置２０１のＩＮ２に入力される。これにより、光パケットタイミング調整部１００から光パケットバッファリング兼多重部２００の光遅延量選択装置２０１のＩＮ１，ＩＮ２に入力される光パケットは、光パケットの先頭を光パケット多重装置で扱う固有の周期ｔｃ３のタイミングから時間ｔ３の範囲内で揃えて入力される。
【００２８】
図３は本発明の光パケット多重化動作例図であり、（Ａ）は光パケットタイミング調整部１００の動作を示し、（Ｂ）は光パケットバッファリング兼多重部２００の動作を示している。図３において、t３は光パケットタイミング調整部１００における光遅延装置の遅延単位時間であり、t３＝（Ｔ＋α）／Ｓで表され（Ｓは分割数で正の整数）、Ｓは、Ｓ＝４としている。ｔｃ３は、光パケット多重装置で扱う固有の周期であり、ｔｃ３＝((Ｔ＋α)／Ｓ)×(Ｓ＋β)で表され（β＞０）、βは、β＝１としている。ｔ４は、光パケットバッファリング兼多重部２００における光遅延装置の遅延単位時間であり、ｔ４＝ｔｃ３である。ｖ４は光パケット間の隙間時間、Ｄは光パケットの遅延された量である。ここで、Ｔは伝送路上における固定長の光パケット継続時間Ｔ（Ｔ＞０）である。また、αは制御用マージン時間などの時間α（α≧０）であり、伝送路上における固定長の光パケット継続時間Ｔにαを関連付け(Ｔ＋α)を連続したひとつの時間単位として扱う。
【００２９】
（Ａ）は、光パケット１、２が光入力ポート１Ａ、１Ｂから光パケットタイミング調整部１００に入力され、そのときの光パケット１、２の先頭が光パケット多重装置で扱う固有の周期ｔｃ３のタイミングから時間ｔ３の範囲内から外れた状態で光パケットタイミング調整部１００に入力された場合の動作を示している。光パケット１、２は光パケットタイミング調整部１００により、光パケットの先頭が光パケット多重装置で扱う固有の周期ｔｃ３のタイミングから時間ｔ３の範囲内で揃えられて光パケットタイミング調整部１００から出力され光パケットバッファリング兼多重部２００のＩＮ１、ＩＮ２に入力される。
【００３０】
（Ｂ）は、光パケットタイミング調整部１００より出力された光パケット１、２が光パケットバッファリング兼多重部２００に重なり合って入力された場合の動作を示している。入力された光パケット２は、元の相対位置の先頭から光パケットバッファリング兼多重部２００の光遅延装置により、遅延単位時間ｔ４分遅延されている。光パケット１、２は、光パケットバッファリング兼多重部２００を介して時間領域で多重化されて、同一の光出力ポート３００から連続的に出力される。
【００３１】
光パケットバッファリング兼多重部２００のＩＮ１，ＩＮ２に入力される光パケットの先頭は、光パケット多重装置で扱う固有の周期ｔｃ３のタイミングから時間ｔ３の範囲内で揃えられている。また、光パケットバッファリング兼多重部２００における光遅延装置２０２ａ〜２０２ｎの遅延単位時間ｔ４はｔ４＝ｔｃ３であり、ｔｃ３＝(ｔ３×(Ｓ＋β))＝(((Ｔ＋α)／Ｓ)×(Ｓ＋β))であり、図３においてβ＝１であることから、光パケット１および光パケット２の間の隙間時間ｖ４の範囲は、(０≦ｖ４＜(ｔ３×２))となる。この隙間時間ｖ４は、ｔｃ３およびｔ３の値設定により決まる。光パケット２の遅延量Ｄは、光遅延装置２０２ａ〜２０２ｎの遅延単位時間ｔ４と等しい。
【００３２】
図４も本発明の光パケット多重化動作例図であり、（Ａ）は光パケットタイミング調整部１００の動作を示し、（Ｂ）は光パケットバッファリング兼多重部２００の動作を示している。図４において、図３と同様に、t３は光パケットタイミング調整部１００における光遅延装置の遅延単位時間であり、t３＝（Ｔ＋α）／Ｓで表され（Ｓは分割数で正の整数）、Ｓは、Ｓ＝４としている。ｔｃ３は、光パケット多重装置で扱う固有の周期であり、ｔｃ３＝((Ｔ＋α)／Ｓ)×(Ｓ＋β)で表され（β＞０）、βは、β＝１としている。ｔ４は、光パケットバッファリング兼多重部２００における光遅延装置の遅延単位時間であり、ｔ４＝ｔｃ３である。ｖ４は光パケット間の隙間時間、Ｄは光パケットの遅延された量である。ここで、Ｔは伝送路上における固定長の光パケット継続時間Ｔ（Ｔ＞０）である。また、αは制御用マージン時間などの時間α（α≧０）であり、伝送路上における固定長の光パケット継続時間Ｔにαを関連付け(Ｔ＋α)を連続したひとつの時間単位として扱う。
【００３３】
（Ａ）は、光パケット１、２が光入力ポート１Ａ、１Ｂから光パケットタイミング調整部１００に入力され、図３と異なり、入力された光パケット１の先頭が光パケット多重装置で扱う固有の周期ｔｃ３のタイミングから時間ｔ３の範囲内の状態で光パケットタイミング調整部１００に入力され、光パケット２の先頭が光パケット多重装置で扱う固有の周期ｔｃ３のタイミングから時間ｔ３の範囲内から外れた状態で光パケットタイミング調整部１００に入力された場合の動作を示している。光パケット２は光パケットタイミング調整部１００により、光パケットの先頭が光パケット多重装置で扱う固有の周期ｔｃ３のタイミングから時間ｔ３の範囲内で揃えられ、光パケット１は、光入力ポート１Ａから光パケットタイミング調整部１００に入力されたタイミングのままとされ、結果として、光パケット１、２は光パケットの先頭が光パケット多重装置で扱う固有の周期ｔｃ３のタイミングから時間ｔ３の範囲内で揃えられて光パケットタイミング調整部１００から出力され光パケットバッファリング兼多重部２００のＩＮ１、ＩＮ２に入力される。
【００３４】
（Ｂ）は、光パケットタイミング調整部１００より出力された光パケット１、２が、重なり合わずに光パケットバッファリング兼多重部２００に入力された場合の動作を示している。光パケット１、２は、光パケットバッファリング兼多重部２００を介して時間領域で多重化されて同一の光出力ポート３００から連続的に出力される。なお、図３の（Ｂ）の場合と同様に、光パケット１および光パケット２の間の隙間時間ｖ４の範囲は、(０≦ｖ４＜(ｔ３×２))となる。
【００３５】
光パケットタイミング調整部１００で光パケット１、２の先頭を、光パケット多重装置で扱う固有の周期ｔｃ３のタイミングから時間ｔ３の範囲内で揃えることにより、光パケットバッファリング兼多重部２００に入力される各光パケットが重なる場合に、入力された光パケットの継続時間Ｔと制御用マージン時間などの時間αを関連付けた(Ｔ＋α)時間の間のほとんど全てを重ねることができる。ほとんど全てが重なった光パケットの少なくとも１つを、光パケットバッファリング兼多重部２００内の光遅延装置２０２ａ〜２０２ｎの遅延単位時間ｔ４の正整数倍だけ遅延させることで、先行する光パケットの後端に後続する光パケットを多重できる。各光パケットが重ならない場合には、遅延させることなくそのままで先行する光パケットの後端に後続する光パケットを多重できる。
【００３６】
したがって、光パケット多重装置から出力される光パケット間の隙間時間の割合を小さくしたうえで、光パケットバッファリング兼多重部２００内の光遅延装置２０２ａ〜２０２ｎの遅延単位時間ｔ４を光パケットの継続時間Ｔと制御用マージン時間などの時間αを関連付けた(Ｔ＋α)時間とすることができる。そのため、光パケットバッファリング兼多重部２００内の光遅延装置２０２ａ〜２０２ｎで光パケットを重ならないよう遅延させながら滞留させられる数としての光パケットバッファの深さＢの値を大きくでき、さらに光パケットを時間領域で多重した場合、光パケット多重装置から出力される光パケット間の隙間時間の割合を小さくできる。
【００３７】
なお、光パケットタイミング調整部１００に入力された光パケットの先頭を、光パケットの継続時間Ｔ（Ｔ＞０）以上の光パケット多重装置の周期ｔｃ３（ｔｃ３≧Ｔ）で揃える場合の周期ｔｃ３を、ｔｃ３＝((Ｔ＋α)／Ｓ)×(Ｓ＋β)（Ｔ＞０かつα≧０かつＳ≧１かつβ＞０）とする。
【００３８】
また、光パケットタイミング調整部１００へ入力された光パケットの先頭を、光パケット多重装置で扱う固有の周期ｔｃ３のタイミングから((Ｔ＋α)／Ｓ)×β（Ｔ＞０かつα≧０かつＳ≧１かつβ＞０）時間未満の時間が経過するまでの間に揃える場合、特にβを１、Ｓを１,２,３,．．．となる任意数とすると、効率のよい光パケット多重装置が実現可能になる。
【００３９】
なお、光パケットは固定長とし、光パケットタイミング調整部１００では光入力ポート１Ａ、１Ｂ毎に光電変換は行わないものとする。
【００４０】
ここで、Ｓを４、βを１とした場合における光パケット多重装置の動作を説明する。
まず、光入力ポート１Ａ、１Ｂに光パケットが入力されると、これら光パケットは入力直後に図示しないスプリッタなどで分岐され、分岐された一つは光遅延装置５０に入力され、他方は光パケット検出装置６０に入力される。光パケット検出装置６０は、光入力ポート１Ａ、１Ｂ毎に光パケットの先頭を検出し、それぞれの光パケット検出信号を制御装置７０に入力する。
【００４１】
制御装置７０は、光パケットタイミング調整部１００を制御し、光パケットタイミング調整ユニット１１０内の光遅延量選択装置１１１に光遅延装置１１２ａ〜１１２ｎを選択させるための値ｃを、光パケットタイミング調整ユニット１１０内の光遅延装置１１２ａ〜１１２ｎの遅延単位時間ｔ３と同じ周期で管理し、更新している。たとえば、光遅延量選択装置１１１に光遅延装置１１２ａを選択させるための値ｃは、周期ｔ３で管理更新し、次の（１）式、（２）式と同等の方法により得ている。ｃｍを保持型変数(初期値は非負整数)、Ｓを分割数とすると、（１）式は（ｃｍ＋１）を（Ｓ＋１）で割った場合の余りの値となる変数ｃｍを求める式になる。（１）式で求めた変数ｃｍを（２）式に代入すると、光遅延装置１１２ａ〜１１２ｎを選択させる値であるｃを求める式になる。この値ｃは、光パケットタイミング調整ユニット１２０内の光遅延量選択装置１２１に光遅延装置１２２ａ〜１２２ｎを選択させるための値ｃと同一である。
【００４２】
ｃｍ＝（ｃｍ＋１）ｍｏｄ（Ｓ＋１）・・・（１）
ｃ＝Ｓ−ｃｍ                      ・・・（２）
【００４３】
制御装置７０は、光パケットタイミング調整ユニット１１０と同様に光パケットタイミング調整ユニット１２０を制御している。光パケットタイミング調整ユニット１１０について、制御装置７０は、光パケット検出装置６０から制御装置７０へ入力された光入力ポート１Ａの光パケット検出信号と、光遅延量選択装置１１１に光遅延装置１１２ａ〜１１２ｎを選択させるための値ｃとで、光パケットタイミング調整ユニット１１０を制御し、光パケットタイミング調整ユニット１１０内の光遅延量選択装置１１１に選択させる光遅延装置１１２ａ〜１１２ｎを決定している。制御装置７０は、光パケットタイミング調整ユニット１２０についても同様に制御する。また、制御装置７０は、図示していないが光入力ポートが３つ以上あり、したがって光入力ポートと同数の光パケットタイミング調整ユニットが３つ以上ある場合、同様にして、それぞれの光パケットタイミング調整ユニットを、それぞれ個別に制御する。
【００４４】
光遅延装置５０により制御装置７０の動作に必要な時間だけ遅延された光パケットは、光遅延装置５０から光パケットタイミング調整ユニット１１０内の光遅延量選択装置１１１に入力される。光遅延量選択装置１１１は、制御装置７０から制御されることにより、光遅延装置１１２ａ〜１１２ｎのいずれかの光遅延装置ｄ３_１〜ｄ３_ｒを選択する。光遅延量選択装置１１１に入力された光パケットは、選択された光遅延装置１１２ａ〜１１２ｎのいずれかの光遅延装置ｄ３_１〜ｄ３_ｒに導かれる。光遅延装置１１２ａ〜１１２ｎから出力されるそれぞれの光パケットは合波装置１１３に入力され、一つの光パケットにまとめられて合波装置１１３から出力される。
【００４５】
合波装置１１３から出力された光パケットの先頭、すなわち、光パケットタイミング調整ユニット１１０から出力された光パケットの先頭は、制御装置７０で使われる光パケット多重装置で扱う固有の周期ｔｃ３が、ｔｃ３＝ｔ３×（Ｓ＋１）であることにより、光パケットタイミング調整部光遅延装置の遅延単位時間ｔ３の範囲内で揃えて出力される。
【００４６】
また、光入力ポート１Ｂに対応した光パケットタイミング調整ユニット１２０は、制御装置７０によって同様に制御される。すなわち、光パケットタイミング調整ユニット１２０から出力された光パケットの先頭は、制御装置７０で使われる光パケット多重装置で扱う固有の周期ｔｃ３が、ｔｃ３＝ｔ３×（Ｓ＋１）であることにより、光パケットタイミング調整部光遅延装置の遅延単位時間ｔ３の範囲内に先頭を揃えて出力される。
【００４７】
制御装置７０は、光パケットタイミング調整ユニット１１０、１２０をそれぞれ制御した結果から、制御装置７０で使われる光パケット多重装置で扱う固有の周期ｔｃ３で光パケットバッファリング兼多重部２００を制御し、光パケットバッファリング兼多重部２００内の光遅延量選択装置２０１のそれぞれの入力ＩＮ１、ＩＮ２について、光遅延装置２０２ａ〜２０２ｎのいずれかを選択させる。
【００４８】
それぞれの光遅延装置２０２ａ〜２０２ｎから出力される光パケットは、合波装置２０３に入力されて一つの出力としてまとめられ、合波装置２０３から出力される。
合波装置２０３から出力される光パケット、すなわち光パケットバッファリング兼多重部２００により時間領域で多重された光パケットは、光出力ポート３００から外部へ非同期のタイミングで出力される。
【００４９】
図５は光パケットタイミング調整ユニット１１０内の光遅延装置１１２ａ〜１１２ｎの構成説明例図である。光パケットタイミング調整ユニット１２０内の光遅延装置１２２ａ〜１２２ｎの構成についても図５によって同様に説明される。光パケットの継続時間をＴ（Ｔ＞０）とし、光パケットタイミング調整ユニット１１０内の光遅延装置１１２ａ〜１１２ｎの遅延単位時間ｔ３は、
t３＝（Ｔ＋α）／Ｓ
とする。α（α≧０）は制御用マージン時間などの時間、Ｓは分割数で正の整数である。
光遅延装置１１２ａ〜１１２ｎに該当する光遅延装置ｄ３_ｒのそれぞれの遅延量Ｄ３_ｒは、
Ｄ３_ｒ＝ｔ３×（ｒ−１）（ｒ＝１,２,３,…,Ｒ）
として設定する。Ｒは光遅延装置１１２ａ〜１１２ｎの数であり、Ｒ＝Ｓ＋１である。
【００５０】
たとえば、光遅延装置ｄ３_１の遅延量はＤ３_１＝ｔ３×０により”ゼロ”となる。同様に、光遅延装置ｄ３_２の遅延量はＤ３_２＝ｔ３×１となって遅延単位時間ｔ３の”１”倍となる。また、光遅延装置ｄ３_ｒの遅延量はＤ３_ｒ＝ｔ３×（ｒ−１）となって遅延単位時間ｔ３の”（ｒ−１）”倍となる。
【００５１】
光パケットタイミング調整部１００において、光パケットの先頭は、光パケット多重装置で扱う固有の周期ｔｃ３（ｔｃ３=((Ｔ＋α)／Ｓ)×(Ｓ＋1)）で繰り返す周期タイミングから((Ｔ＋α)／Ｓ)×β（Ｔ＞０かつα≧０かつβ＝１かつＳは１,２,３,...となる任意の数）時間未満の時間が経過するまでの間に揃えられる。遅延単位時間ｔ３＝(Ｔ＋α)／Ｓ（α≧０制御用マージン時間など、Ｓ＝１,２,３…となる任意数）であるＲ個の光遅延装置ｄ３_ｒ（ｒ＝１,２,３,…,ＲかつＲ＝Ｓ＋１）において、それぞれの光遅延装置ｄ３_ｒの遅延量Ｄ３_ｒをＤ３_ｒ=ｔ３×(ｒ−１)（ｒ＝１,２,３,…,ＲかつＲ＝Ｓ＋１かつＳ＝１,２,３,…となる任意数）とした光遅延装置ｄ３_ｒを用いることにより、光遅延装置ｄ３_ｒを適切に選択して、光パケット多重装置で扱う固有の周期ｔｃ３からタイミング調整部１００内の光遅延装置の遅延単位時間ｔ３の範囲内に光パケットの先頭を揃えて出力することができる。つまり、光パケットタイミング調整部１００内の複数の光パケットタイミング調整ユニットそれぞれから出力される光パケットの先頭が、光パケット多重装置で扱う固有の周期ｔｃ３から光パケットタイミング調整部１００内の光遅延装置の遅延単位時間ｔ３の範囲内に揃えて出力される。
【００５２】
図６は、光パケットバッファリング兼多重部２００内の光遅延装置２０２ａ〜２０２ｎの構成説明例図である。光パケットの継続時間をＴ（Ｔ＞０）とし、光パケットバッファリング兼多重部２００内の光遅延装置２０２ａ〜２０２ｎの遅延単位時間ｔ４は、
ｔ４＝ｔ３×(Ｓ+１) ＝((Ｔ＋α)／Ｓ)×(Ｓ+１)
とする。α（α≧０）は制御用マージン時間などの時間、Ｓは光パケットタイミング調整部１００内の光遅延装置の遅延単位時間ｔ３で用いた分割数で正の整数である。
光遅延装置２０２ａ〜２０２ｎに該当する光遅延装置ｄ４_ｍのそれぞれの遅延量Ｄ４_ｍは、
Ｄ４_ｍ＝ｔ４×(ｍ−１)（ｍ＝１,２,３,…,Ｍ)
として設定する。Ｍは光遅延装置２０２ａ〜２０２ｎの数であり、光パケットバッファの深さをＢとすると、Ｍ＝Ｂ＋１になる。ＢはＢ＝１,２,３,...となる任意数であり、光パケットバッファリング兼多重部２００内の光遅延装置２０２ａ〜２０２ｎで光パケットを重ならないよう遅延させながら滞留させられる数Ｂである。
【００５３】
たとえば、光遅延装置がｄ４_１の場合、光遅延装置ｄ４_１の遅延量は、Ｄ４_１＝ｔ４×０となり遅延が”ゼロ”となる。同様に、光遅延装置がｄ４_２の場合、光遅延装置ｄ４_２の遅延量はＤ４_２＝ｔ４×１となり、遅延単位時間ｔ４の”１”倍となる。また、光遅延装置がｄ４_ｍの場合、光遅延装置の遅延量はＤ４_ｍ＝ｔ４×（ｍ−１）となり、遅延単位時間ｔ４の”（ｍ−１）”倍となる。
【００５４】
また、図１で、光パケット多重装置で扱う固有の周期ｔｃ３（ｔｃ３≧Ｔ）をｔｃ３=((Ｔ＋α)／Ｓ)×(Ｓ＋β)（Ｔ＞０かつα≧０かつＳ≧１かつβ＞０）とし、また、光パケットタイミング調整部１００へ入力された光パケットの先頭を、光パケット多重装置で扱う固有の周期ｔｃ３で繰り返す周期タイミングから((Ｔ＋α)／Ｓ)×β（Ｔ＞０かつα≧０かつＳ≧１かつβ＞０）時間未満の時間が経過するまでの範囲内で揃えるために、βを１、Ｓを１,２,３,...となる任意数と設定した場合、効率のよい光パケット多重装置が実現できる。
【００５５】
伝送路上での光パケットの継続時間Ｔと制御用マージン時間などの時間αとを関連付けた(Ｔ＋α)時間と、光パケットの光パケットタイミング調整部１００内の光遅延装置の遅延単位時間ｔ３と、光パケット多重装置で扱う固有の周期ｔｃ３と、光パケットバッファリング兼多重装置２００内の光遅延装置の遅延単位時間ｔ４を、以下のように相互に関連付けて設定する。
【００５６】
ｔ３＝(Ｔ＋α)／Ｓ
ｔｃ３＝ｔ３×(Ｓ＋β)＝ｔ３×(Ｓ＋１)＝(Ｔ＋α)＋((Ｔ＋α)／Ｓ)
ｔ４＝ｔｃ３＝(Ｔ＋α)＋((Ｔ＋α)／Ｓ)
（ここで、βを１、Ｓを１,２,３,...となる任意数）
【００５７】
上式により、時間ｔ３の粒度および、時間ｔ３の正整数倍である時間ｔ４の粒度で制御を行うのみで効率のよい光パケット多重装置を容易に実現できる。
【００５８】
このとき、光パケット多重装置から出力される光パケット間の隙間時間の平均ｖａは、
ｖａ＝(Ｔ＋α)／Ｓ
とできる。
【００５９】
また、光パケット多重装置から出力される出力中に占める光パケット間の隙間時間の割合ｖｒを、
ｖｒ＝(１／(Ｓ＋１))×１００ (％)
として、設定可能な小さな値に抑えた光パケット多重装置が実現できる。
【００６０】
さらに、光パケットバッファリング兼多重装置２００内の光遅延装置の遅延単位時間ｔ４は、ｔ４＝(Ｔ＋α)＋((Ｔ＋α)／Ｓ)であり、伝送路上での光パケットの継続時間Ｔと制御用マージン時間などの時間αとを関連付けた(Ｔ＋α)時間以上の値である。また、光パケットバッファリング兼多重部２００で光パケットを重ならないよう遅延させながら滞留させられる数である光パケットバッファの深さＢと光パケットバッファリング兼多重部２００内の光遅延装置２０２ａ〜２０２ｎの数Ｍの関係を、Ｍ＝Ｂ＋１とできる。よって、光パケットバッファの深さＢを大きくできる光パケット多重装置が実現できる。
【００６１】
すなわち、光パケットタイミング調整部１００と光パケットバッファリング兼多重部２００とを用いることにより、光パケット多重後の光パケットの占める割合を大きくする。したがって、光パケット多重後の光パケット間の隙間の占める割合を小さくするとともに、２つ以上の光入力ポートから同時に入力された光パケットを光電変換することなく連続して時間領域で多重化でき、光パケットを重ならないよう遅延させながら滞留させられる数である光パケットバッファの深さＢを大きくできる光パケット多重装置が実現できる。
【００６２】
図７は、光パケットタイミング調整ユニット１１０内の光遅延量選択装置１１１に選択させる光遅延装置１１２ａ〜１１２ｎを決定する動作説明例図であり、動作例は(１−１)〜(１−１３)に場合分けされている。同様に、図７によって、光パケットタイミング調整ユニット１２０内の光遅延量選択装置１２１に選択させる光遅延装置１２２ａ〜１２２ｎを決定する動作も説明される。
【００６３】
各動作例(１−１)〜(１−１３)において、光パケットタイミング調整ユニット１１０への入力パケットの光パケット検出信号が光パケット検出装置６０から制御装置７０へ入力されると、制御装置７０は光パケットタイミング調整ユニット１１０を制御する。光パケットタイミング調整ユニット１１０が制御されると、光パケットタイミング調整ユニット１１０内の光遅延量選択装置１１１に光遅延装置１１２ａ〜１１２ｎを選択させるために制御装置７０によって管理更新されているｃの値にしたがって、光パケットタイミング調整ユニット１１０を制御し、光パケットタイミング調整ユニット１１０内の光遅延量選択装置１１１に選択させる光遅延装置１１２ａ〜１１２ｎが、次のように決定される。
【００６４】
制御装置７０は、光パケットタイミング調整ユニット１１０内の光遅延装置１１２ａ〜１１２ｎのうち、いずれかの光遅延装置ｄ３_ｒ(ｒ＝１,２,３,…,ＲかつＲ＝Ｓ＋1)の”ｒ”をｒ＝ｃ＋１（ｃ＝０,１,２,３,・・・,Ｓ)と設定し、光遅延装置１１２ａ〜１１２ｎの中からひとつの光遅延装置ｄ３_ｒを決める。また、ｃの値は、光パケット多重装置内の制御装置７０で扱う光パケットタイミング調整部内光遅延装置の遅延単位時間ｔ３の周期毎に制御装置７０によって（１）式、（２）式で求められ、管理更新される。制御装置７０は、管理更新されたｃの値と、ｃの値の継続する時間ｔ３内に光パケット検出装置６０から制御装置７０へ入力された光パケット検出信号に基づき、光パケットタイミング調整ユニット１１０内の光遅延量選択装置１１１を制御し、光遅延装置１１２ａ〜１１２ｎのいずれかを選択する。
【００６５】
制御装置７０から制御される光遅延量選択装置１１１による光遅延装置１１２ａ〜１１２ｎ（光遅延装置ｄ３_ｒ）の選択方法を各動作例について説明する。制御装置７０から制御される光遅延量選択装置１２１による１２２ａ〜１２２ｎ（光遅延装置ｄ３_ｒ）の選択方法は、光遅延量選択装置１１１による１１２ａ〜１１２ｎ（光遅延装置ｄ３_ｒ）の選択方法と同様である。
【００６６】
動作例(１−１)〜(１−３)の場合、光遅延装置ｄ３_１（光遅延装置ｄ３_ｒのｒがｒ＝ｃ＋１＝０＋１＝１）、つまり光遅延装置１１２ａを選択している。
【００６７】
動作例(１−４)〜(１−６)の場合、図示しない光遅延装置ｄ３_５（光遅延装置ｄ３_ｒのｒがｒ＝ｃ＋１＝Ｓ＋１＝５）、つまり図示しない光遅延装置１１２ｅを選択している。
【００６８】
動作例(１−７)、(１−８)の場合、図示しない光遅延装置ｄ３_４（光遅延装置ｄ３_ｒのｒがｒ＝ｃ＋１＝（Ｓ−１）＋１＝４）、つまり図示しない光遅延装置１１２ｄを選択している。
【００６９】
動作例(１−９)、(１−１０)の場合、図示しない光遅延装置ｄ３_３（光遅延装置ｄ３_ｒのｒがｒ＝ｃ＋１＝２＋１＝３）、つまり図示しない光遅延装置１１２ｃを選択している。
【００７０】
動作例(１−１１)、(１−１２)の場合、光遅延装置ｄ３_２（光遅延装置ｄ３_ｒのｒがｒ＝ｃ＋１＝１＋１＝２）、つまり光遅延装置１１２ｂを選択している。
【００７１】
動作例(１−１３)の場合、光遅延装置ｄ３_１（ｒ＝ｃ＋１＝０＋１＝１）、つまり光遅延装置１１２ａを選択している。
【００７２】
図８は光パケットバッファリング兼多重部２００への光パケットの入力例図であり、（Ａ）は光パケットの入力タイミングの範囲例を示し、（Ｂ）は光パケットが重なる範囲の例を示し、（Ｃ）は光パケットが重ならない例を示している。なお、図８において、図３および図４と同様に、t３は光パケットタイミング調整部１００における光遅延装置の遅延単位時間であり、ｔｃ３は光パケット多重装置で扱う固有の周期であり、ｔ４は光パケットバッファリング兼多重部２００における光遅延装置の遅延単位時間であり、ｔ４＝ｔｃ３である。
【００７３】
（Ａ）に示すように、光パケットバッファリング兼多重部２００内の光遅延量選択装置２０１に入力された光パケット１、２の先頭は、光パケット多重装置で扱う固有の周期ｔｃ３のタイミングから、時間ｔ３未満の時間が経過するまでの間に揃えられている。
【００７４】
このように、光パケットタイミング調整ユニット１１０,１２０から光遅延量選択装置２０１に入力された光パケット１、２は先頭が揃えられているため、各光パケットで時間領域での重なりがあるときは、（Ｂ）に示すようにそのほぼ全部が重なる。重なりあった光パケットの１つ以上を光パケットバッファリング兼多重部２００内の光遅延装置の遅延単位時間ｔ４の正整数倍だけ遅延させる。つまり、光パケット多重装置で扱う固有の周期ｔ４の正整数倍の時間だけ遅延させることで、図３の（Ｂ）に示したｖ４のように光パケット間の隙間時間ｖ４の範囲を、（(ｔ３×０)≦ｖ４＜(ｔ３×２)）として各光パケットを時間領域で多重できる。
【００７５】
（Ｂ）の場合、光入力ポート１Ａ、１Ｂから入力される光パケット１および光パケット２において、光パケット１を導いた光遅延装置２０２ａ〜２０２ｎ（光遅延装置ｄ４_ｍ）のｍに対して、（ｍ＋１）となる光遅延装置に光パケット２を導くように光遅延量選択装置２０１により光遅延装置２０２ａ〜２０２ｎが選択される。どの光パケットの遅延を少なくして転送するかということは、図２の記憶装置８０の光パケット多重優先度情報にしたがって、制御装置７０が光パケットバッファリング兼多重部２００内の光遅延量選択装置２０１を制御することで、自由に設定できる。
【００７６】
また、光遅延量選択装置２０１に入力された光パケットが各光パケットで時間領域での重なりが無いときは、光パケットの先頭が揃えられているので、（Ｃ）に示すように先行する光パケットの直後に後続するパケットが位置する時間関係で入力される。
【００７７】
（Ｃ）の場合、入力光パケット１を導いた光遅延装置２０２ａ〜２０２ｎと同じ光遅延装置２０２ａ〜２０２ｎへ入力光パケット２を導くよう、光遅延量選択装置２０１に光遅延装置２０２ａ〜２０２ｎを選択させ、先行する光パケットの後端と、後続する光パケットの先頭との間の隙間時間ｖ４の範囲を、図４の（Ｂ）に示したｖ４のように（(ｔ３×０)≦ｖ４＜(ｔ３×２)）として各光パケットを時間領域で多重できる。
【００７８】
光パケット先頭の位置タイミング範囲例について説明する。
（Ａ）は、光パケットタイミング調整部１００から光パケットバッファリング兼多重部２００へ入力されたときの入力光パケット１、２の入力タイミングの範囲例について示している。（Ａ）では、光パケットタイミング調整部１００から出力され、光パケットバッファリング兼多重部２００に入力される全ての光パケットの先頭は、網掛け部のタイミング範囲に揃えられていることを示している。つまり、光パケットバッファリング兼多重部２００に入力される全ての光パケットの先頭は光パケット多重装置で扱う固有の周期ｔｃ３のタイミングから時間ｔ３未満の時間が経過するまでの範囲内で揃えられている。
【００７９】
（Ｂ）、（Ｃ）は、（Ａ）で示した入力光パケット１、２の入力タイミング範囲例よりもより具体的に、光パケットタイミング調整部１００から光パケットバッファリング兼多重部２００へ入力された入力光パケット１、２の入力タイミング例を示している。
【００８０】
他の実施例の説明をする。
光パケットバッファリング兼多重部２００内の光遅延装置２０２ａ〜２０２ｎで光パケットを重ならないよう遅延させながら滞留させられる数Ｂである光パケットバッファの深さＢを、Ｂ＝３２とし、また光パケット多重装置から出力される出力中に占める光パケット間の隙間時間の割合ｖｒは、
ｖｒ＝(１／(Ｓ＋１))×１００ (％)
である。
【００８１】
ここで、Ｓ＝１４としてｖｒ＝(１／１５)×１００（％）と設定することを考える。
光パケットバッファリング兼多重部２００内の光遅延装置２０２ａ〜２０２ｎ(光遅延装置ｄ４_ｍ（ｍ＝１,２,３,…,ＭかつＭ＝Ｂ＋１）)の数Ｍは、
Ｍ＝Ｂ＋１
である。Ｍ＝Ｂ＋１＝３２＋１＝３３となり、光遅延装置２０２ａ〜２０２ｎを３３個のみ制御するだけでよい。そのとき光パケットタイミング調整部１００内の光遅延装置１１２ａ〜１１２ｎ（光遅延装置ｄ３_ｒ（ｒ＝１,２,３,・・・,ＲかつＲ＝Ｓ＋１））は、それぞれ１５個のみ制御するだけでよい。
【００８２】
しかし、図１０の従来の光パケットバッファリング兼多重部２を備えた光パケット多重装置から類推される方法により、従来の光パケットバッファリング兼多重部２を備えた光パケット多重装置から出力される出力中に占める光パケット間の隙間時間の割合ｖｒとして同様の値ｖｒ＝(１／１５)×１００(％)を得ることを考える。従来の光パケットバッファリング兼多重部２内の光遅延装置の遅延単位時間ｔ１の代わりに、ｔ１の１／Ｓとなる新たな遅延単位時間ｔ２を用いると、ｔ２はｔ２＝ｔ１／Ｓとなる。また、従来の光パケットバッファリング兼多重部２を備えた光パケット多重装置から出力される出力中に占める光パケット間の隙間時間の割合ｖｒは、
ｖｒ＝１／(２Ｓ＋１)×１００ (％)
である。ｖｒ＝(１／１５)×１００(％)を得るためには、Ｓ＝７とする必要がある。
【００８３】
ここで、従来の光パケット多重装置から類推される方法により必要となる光パケットバッファリング兼多重部２の光遅延装置２２ａ〜２２ｎ（光遅延装置ｄ２_ｋとし（ｋ＝１,２,３，．．．,Ｋ かつＫ＝Ｂ×Ｓ＋１)））の数Ｋは、
Ｋ＝Ｂ×Ｓ＋１
である。
【００８４】
その結果、ｖｒ＝(１／１５)×１００(％)を実現するとともに、従来の光パケットバッファリング兼多重部２の光パケットバッファの深さＢとしてＢ＝３２と設定するために必要となる光遅延装置２２ａ〜２２ｎの数Ｋは、Ｋ＝３２×７＋１＝２２５となり、２２５個の光遅延装置２２ａ〜２２ｎを制御しなければならない。
【００８５】
光パケットバッファリング兼多重部２００内の光遅延装置２０２ａ〜２０２ｎで光パケットを重ならないよう遅延させながら滞留させられる数Ｂである光パケットバッファの深さＢをＢ＝３２とする。そして、光パケット多重後の光パケット多重装置からの出力中に占める光パケット間の隙間時間の割合を(１/１５)×１００（％）とすると、従来の光パケット多重装置から類推される光パケットバッファリング兼多重部２で制御しなければならない光遅延装置２２ａ〜２２ｎの数は２２５個であるのに対し、本発明の光パケットバッファリング兼多重部２００で制御する光遅延装置２０２ａ〜２０２ｎの数は３３個になり、大幅に削減できる。
【００８６】
本発明によれば、従来のわずか約１５％の光遅延装置２０２ａ〜２０２ｎを光パケットバッファリング兼多重部２００で制御するだけでよく、光パケットバッファリング兼多重部２００で制御する必要のある光遅延装置の数Ｍを光パケットバッファリング兼多重部２００の光パケットバッファの深さＢと同程度の数であるＭ＝Ｂ＋１としたまま、光パケットを時間領域で多重したときの光パケット多重装置からの出力中に占める光パケット間の隙間時間の割合が小さい光パケット多重装置を提供できる。
【００８７】
以上説明したように、本発明によれば、光パケット多重後の光パケット多重装置から出力される信号である光パケットの占める割合を大きくできる。すなわち、光パケット多重後に光パケット多重装置からの出力中に占める光パケット間の隙間の占める割合をあらかじめ定めた任意の小さな値に抑えるとともに、２つ以上の光入力ポートから同時に入力された光パケットを光電変換することなく連続して時間領域で多重でき、光パケットを重ならないよう遅延させながら滞留させられる数である光パケットバッファの深さＢを大きくした光パケット多重装置を実現できる。
【図面の簡単な説明】
【００８８】
【図１】本発明の一実施例を示す概略構成図である。
【図２】図１の光パケット多重装置の具体例を示す構成図である。
【図３】本発明の光パケット多重化動作例図である。
【図４】本発明の光パケット多重化動作例図である。
【図５】光パケットタイミング調整ユニット１１０内の光遅延装置１１２ａ〜１１２ｎの構成説明例図である。
【図６】光パケットバッファリング兼多重部２００内の光遅延装置２０２ａ〜２０２ｎの構成説明例図である。
【図７】光パケットタイミング調整ユニット１１０内の光遅延量選択装置１１１に選択させる光遅延装置１１２ａ〜１１２ｎを決定する動作説明例図である。
【図８】光パケットバッファリング兼多重部２００への光パケットの入力例図である。
【図９】従来の光パケット多重装置の一例を示す概略構成図である。
【図１０】従来の光パケット多重装置の具体例を示す構成図である。
【図１１】従来の光パケット多重動作例図である。
【符号の説明】
【００８９】
１Ａ，Ｂ  光入力ポート
１００  光パケットタイミング調整部
１１０、１２０  光パケットタイミング調整ユニット
２００  光パケットバッファリング兼多重部
１１１、１２１、２０１  光遅延量選択装置
１１２ａ〜ｎ、１２２ａ〜ｎ、２０２ａ〜ｎ  光遅延装置
１１３、１２３、２０３  合波装置
３００  光出力ポート
【図１】
2010081328.tif 000003
【図２】
2010081328.tif 000004
【図３】
2010081328.tif 000005
【図４】
2010081328.tif 000006
【図５】
2010081328.tif 000007
【図６】
2010081328.tif 000008
【図７】
2010081328.tif 000009
【図８】
2010081328.tif 000010
【図９】
2010081328.tif 000011
【図１０】
2010081328.tif 000012
【図１１】
2010081328.tif 000013